(57)【要約】【課題】仮囲い内からの騒音の低減を図ると共に、塵埃の飛散を防止し、景観上も優れ、作業者の不快感を解消し、構成部品の組立作業が簡単であって、仮囲い内に傾斜させたシート体の取り付け取り外しが簡易である、仮囲い用のブラケット、それを用いた仮囲いを提供すること。【解決手段】所定長さを有する基体２と、基体２の両端部に設けられて、支柱を固定するための第１取付部材１０と第２取付部材２０とを備え、前記第１取付部材１０と第２取付部材２０とには、いずれも支柱を固定するクランプ１３、２３を設けると共に、第１取付部材１０と第２取付部材２０のいずれか一方のクランプ１３は、縦支柱１２を固定し、他方のクランプ２３は、縦支柱の垂直軸線と仮想傾斜軸線との交差する角度Θが９０°以上１８０°未満の鈍角を形成するように設けた傾斜支柱２２を固定するようにしてある。【選択図】図４
2010261255.tif 000002
【特許請求の範囲】
【請求項１】
所定長さを有する基体と、
この基体の両端部に設けられて、支柱を固定するための第１取付部材と第２取付部材とを備え、
前記第１取付部材と第２取付部材とには、いずれも支柱を固定するクランプを少なくとも設けるとともに、
前記第１取付部材と第２取付部材のいずれか一方のクランプは、縦支柱を固定する一方、他方のクランプは、前記縦支柱の垂直軸線と仮想傾斜軸線との交差する角度Θが９０°以上１８０°未満の鈍角を形成するように設けた傾斜支柱を固定するようにしてあることを特徴とする、仮囲い用のブラケット。
【請求項２】
請求項１に記載の仮囲い用のブラケットを、仮囲い板の内側に支持枠組として立設した複数の縦支柱に間隔を置いて列設するとともに、少なくとも相隣るブラケット同士間の外側には適数個の横桟を配設し、これらの横桟、前記縦支柱及び傾斜支柱並びにブラケットを被覆するシート体を張設してなることを特徴とする仮囲い。
【発明の詳細な説明】
【技術分野】
【０００１】
本発明は、工事現場や建設現場や資材置場等（以下、工事現場という。）で発生する騒音や塵芥による外部への悪影響を抑制したり、安全な作業環境を維持するため、該工事現場の周囲をシート等で張設する仮囲いに利用されるブラケット、及びそのブラケットを用いた仮囲いに関する。  
【背景技術】
【０００２】
従来、この種の仮囲いとしては、例えば、（ａ）  特開２００２−１６７９７３号公報（特許文献１）の図９に示されているように、工事現場の敷地の各隅部を含む周囲に沿って所定の間隔で複数の縦支柱を上下方向に立設すると共に、この縦支柱の上部及び下部に横桟を架設し、前記各縦支柱は倒れないように地面に打ち込んだ杭に対して固定する。そして、これらの縦支柱及び横桟に対して長尺の網を紐やバンド等の緊結部材で留め付けて固定するものが知られている。
【０００３】
（ｂ）  また、図示しないが、工事現場の周囲に沿って所定の間隔で複数の縦支柱を立設すると共に、この縦支柱の上中下の３段に横桟を水平方向に横設し、この横桟にフック部材を介して縦長の鋼板を固定することにより、複数の鋼板を並設して工事現場の周囲を仮囲いしたものも知られている。
【先行技術文献】
【特許文献】
【０００４】
【特許文献１】特開２００２−１６７９７３号公報
【発明の概要】
【発明が解決しようとする課題】
【０００５】
しかしながら、前記（ａ）、（ｂ）の従来例の仮囲いでは、（イ）  複数の縦支柱や横桟等の枠組を介して、長尺の網又は複数の縦長の鋼板を垂直方向に立設してなるものであるから、長尺の網又は縦長の鋼板の上方から仮囲い内の騒音や塵芥が仮囲いの外方に漏れ出てしまうという欠点があった。
【０００６】
（ロ）そればかりか、上記長尺の網又は縦長の鋼板は垂直方向に立設してなるものであるから、仮囲いの内部の作業者に対しては不快感を与え、景観上も悪いものであった。
【０００７】
本発明は、上記従来の仮囲いが有する上記（イ）、（ロ）の如き問題点を解決しようとするものであり、仮囲い内からの騒音の低減を図ると共に、塵埃の飛散を防止し、景観上も優れしかも作業者の不快感を解消し、構成部品の組立作業が簡単であって、仮囲い内に傾斜させたシート体の取り付け取り外しが簡易である、仮囲い用のブラケット、それを用いた仮囲いを提供することを目的とする。
【課題を解決するための手段】
【０００８】
上記目的を達成するため、本発明の請求項１の仮囲い用のブラケットは、所定長さを有する基体と、この基体の両端部に設けられて、支柱を固定するための第１取付部材と第２取付部材とを備え、前記第１取付部材と第２取付部材とには、いずれも支柱を固定するクランプを少なくとも設けるとともに、前記第１取付部材と第２取付部材のいずれか一方のクランプは、縦支柱を固定する一方、他方のクランプは、前記縦支柱の垂直軸線と仮想傾斜軸線との交差する角度Θが９０°以上１８０°未満の鈍角を形成するように設けた傾斜支柱を固定するようにしてあることを特徴とする。
【０００９】
ここで、前記クランプは、公知のものでよいが、その他の構成のものでもよく、特に限定しない。
【００１０】
請求項２の仮囲いは、請求項１に記載の仮囲い用ブラケットを、仮囲い板の内側に支持枠組として立設した複数の縦支柱に間隔を置いて列設するとともに、少なくとも相隣るブラケット同士間の外側には適数個の横桟を配設し、これらの横桟、前記縦支柱及び傾斜支柱並びにブラケットを被覆するシート体を張設してなることを特徴とする。
【００１１】
ここで、前記ブラケットが列設される縦支柱は、例えば、特許文献１の図９に示されているように、断面コ字状の区画上に所定間隔で複数本を立設するとか、その縦支柱の立設構成は任意である。
【００１２】
また、前記シート体は、材質は問わないが、例えば、テント状のものであって、前記横桟、縦支柱及び傾斜支柱並びにブラケット等のいずれかに対して、ロープや紐や針金等の連結部材で固定すれば、シート体の取付作業が簡単で、組立作業時間が短縮されて施工性が良いばかりか、コストも安価となる。
このシート体は、防音性、耐久性、耐水性等に富むものが好ましいし、公知の吸音パネルと称されるものを採用することもできる。
【００１３】
さらに、この仮囲いは、前記第１取付部材と第２取付部材のいずれか一方のクランプは、縦支柱を固定する一方、他方のクランプは、前記縦支柱の垂直軸線と仮想傾斜軸線との交差する角度Θが９０°以上１８０°未満の鈍角を形成するように設けた傾斜支柱を固定するようにしてあり、横桟や縦支柱や傾斜支柱並びにブラケットをシート体で被覆するように張設しているため、工事現場内での騒音低減化が達成できると共に、塵埃の飛散も防止でき、安全な作業環境が維持でき、景観性も優れる。
【発明の効果】
【００１４】
本発明の請求項１に記載の仮囲い用のブラケットによれば、所定長さを有する基体と、この基体の両端部に設けられて、支柱を固定するための第１取付部材と第２取付部材とを備え、前記第１取付部材と第２取付部材とには、いずれも支柱を固定するクランプを少なくとも設けるとともに、前記第１取付部材と第２取付部材のいずれか一方のクランプは、縦支柱を固定する一方、他方のクランプは、前記縦支柱の垂直軸線と仮想傾斜軸線との交差する角度Θが９０°以上１８０°未満の鈍角を形成するように設けた傾斜支柱を固定するようにしてあることを特徴とするから、この仮囲い用のブラケットを、仮囲い板の内側に立設した複数の縦支柱に間隔を置いて列設するとともに、少なくとも相隣るブラケット同士間の外側には適数個の横桟を配設し、これらの横桟、前記縦支柱及び傾斜支柱並びにブラケットを被覆するシート体を張設すること（請求項２参照）ができる。
【００１５】
すなわち、請求項１記載のブラケットを用いると、前記第１取付部材と第２取付部材のいずれか一方のクランプは縦支柱を固定する一方、他方のクランプは、縦支柱の垂直軸線と仮想傾斜軸線との交差する角度Θが鈍角を形成するように設けた傾斜支柱を固定してあるから、仮囲い板の内側に、下端から上端に向けて上り勾配としてシート体を張設する仮囲い用のブランケットが簡単な構成で提供できる。
【００１６】
請求項２に記載の仮囲いによれば、請求項１に記載の仮囲い用のブラケットを、仮囲い板の内側に支持枠組として立設した複数の縦支柱に間隔を置いて列設するとともに、少なくとも相隣るブラケット同士間の外側には適数個の横桟を配設し、これらの横桟、前記縦支柱及び傾斜支柱並びにブラケットを被覆するシート体を張設してなることを特徴とすることから、上記仮囲い用ブランケットを介してシート体が仮囲い板の内側に上り勾配で張設できるため、仮囲い内の騒音や塵埃が仮囲いの外方へ漏れ出ることがなく、景観性も向上されるし、上記ブラケットを含むシート体の組付作業が簡単で、作業時間が短縮でき、遮音効果に優れるばかりか、シート体の色彩を変化させることにより景観性も向上され、シート体の取り付け取り外しが簡単にできる効果を有する。
【図面の簡単な説明】
【００１７】
【図１】本発明に係る仮囲い用のブラケットの実施例１の正面図である。
【図２】図１で示されたクランプの概略斜視図である。
【図３】図１のブラケットと複数の横桟と縦支柱と傾斜支柱とをシート体で被覆した仮囲いの組立状態を示す実施例２の概略背面図である。
【図４】図３においてシート体を取り外して、複数の縦支柱とブラケットと横桟とを組み付けた状態の一部を示した概略斜視図である。
【図５】図３の正面図である。
【図６】図３における単位仮囲い板同士と横桟との結合状態を示す斜視図である。
【図７】本発明に係る仮囲い用のブラケットの実施例３の正面図である。
【発明を実施するための形態】
【００１８】
本発明に係る仮囲い用のブラケットの実施例１を図１及び図２に示す。また、この実施例１の仮囲い用のブランケットを、仮囲い板の内側に支持枠組として立設した複数の縦支柱に間隔を置いて列設すると共に、該ブラケット同士間の外側に適数個の横桟を配設し、これらの横桟と縦支柱と傾斜支柱とブラケットとをシート体で被覆して仮囲いとしたものを実施例２として図３〜図６に示す。さらに、本発明に係る仮囲い用のブラケットの他の形態を実施例３として図７に示す。
【実施例１】
【００１９】
本発明に係る仮囲い用のブラケット（以下、単に「ブラケット」と略称する。）の実施例１を図１及び図２に示す。
この実施例１のブラケット１は、図１に示す如く、所定長さを有する基体２と、この基体２の両端部に設けられて、支柱を固定するための第１取付部材１０と第２取付部材２０とを備えている。
【００２０】
基体２は、金属で平板状に形成されたもので、この基体２の両端部は少し屈曲して、その屈曲部に第１取付部材１０と第２取付部材２０とを溶接などで一体に形成してある。
【００２１】
第１取付部材１０と第２取付部材２０とは、同一構造のものを図１で上下に対称に固定できるようにして、互換性をもたせ組付けし易いようにしている。  
【００２２】
すなわち、この実施例では、第１取付部材１０は、縦支柱１２を嵌挿する短管１１と、該短管１１の上下両端縁部に溶接などで固定した１対のクランプ１３，１３とで構成してある。
【００２３】
前記クランプ１３，１３は、図２に示すように、断面が略Ｌ字状の固定クランプ部３１の一端と、断面が略円弧状の可動クランプ部３２の一端とを枢軸３３で回動自在に連結し、固定クランプ部３１の他端に枢軸３５で枢支したボルト３４を、可動クランプ部３２の他端の二股部３６、３６に形成した係入孔３７に係入して、該ボルト３４にナット３８を螺合して可動クランプ部３２を締め付けるようにしたものである。
【００２４】
一方、第２取付部材２０は、第１取付部材１０と同一構成であって、基体２への固定位置（角度）を第１取付部材１０の場合と変えているに過ぎない。
すなわち、この第２取付部材２０は、前記縦支柱１２の垂直軸線１４と、該垂直軸線１４に対する仮想傾斜軸線２４との交差する角度Θが９０°以上１８０°未満の鈍角を形成するように設けた傾斜支柱２２を嵌挿する短管２１と、該短管２１の上下両端縁部に溶接などで固定した１対のクランプ２３，２３とで構成してある。
【００２５】
そして、クランプ２３，２３は、図２に示すように、前述したクランプ１３，１３と同一構成であるので、説明を省略する。
【００２６】
前記縦支柱１２の垂直軸線１４と仮想傾斜軸線２４との交差する角度Θは、この実施例では１３５°としているが、１５０°、１２０°など適宜傾斜角度を採用することができる。
なお、図１で、１５、２５は縦支柱１２又は傾斜支柱２２を締め付けて固定するボルトである。
【実施例２】
【００２７】
本発明の実施例２を図３〜図６に基づいて以下に説明する。
この実施例２は、実施例１の仮囲い用のブラケット１を、仮囲い６０に適用したものである。すなわち、実施例１の仮囲い用のブラケット１を、仮囲い６０の仮囲い板６１の内側に支持枠組として立設した複数の縦支柱１２・・・１２に間隔を置いて列設するとともに、少なくとも相隣るブラケット１、１同士間の外側には適数個の横桟４０・・・４０を配設する。そして、これらの横桟４０・・・４０、前記縦支柱１２・・・１２、前記第２取付部材２０に固定した傾斜支柱２２・・・２２並びにブラケット１・・・１を被覆するシート体５０を外側から張設することにより、図３及び図５に示す如く仮囲い６０としたものである。
【００２８】
図３及び図４で、４１は横桟４０と縦支柱１２、又は横桟４０と傾斜支柱２２とを締め付けて固定する公知のクランプである。
仮囲い板６１は、この実施例では、図６に示すように、縦長の板からなる単位仮囲い板６１ａの両端部を内側に折り曲げて側面体６２を形成し、相隣る単位仮囲い板６１ａ、６１ａ同士間の側面体６２、６２を突き合わせると共に、この突き合わせ部より内方に横桟４０を横設し、前記横桟４０を抱持して前記側面体６２の係合部６３に係合する係止部６４を有する断面Ｕ字状の取付金具６５を備え、この取付金具６５を横桟４０にボルト６６で固定するようにして、仮囲い板６１が構成されている。
この仮囲い板６１の構成は、図６のものに限定されるものではなく、適宜設計変更できる。
【００２９】
シート体５０は、防音性、耐水性、耐熱性、耐久性等に富む素材で、例えばテント状に形成して、該シート体５０に取付けたロープや紐や針金等の連結部材５１などを、例えば、横棒４０、傾斜支柱２２等に結着してある。このような方法によれば、シート体５０の取り付け又は取り外しが簡単にできるので、特に一時的に使用する仮設現場等には好適である。
勿論、シート体５０は、永年使用できる素材を用い、縦支柱１２、横棒４０、傾斜支柱２２等に結合する方法でもよく、上記のものではない他の取り付け方法を適宜採用でき、任意である。
【００３０】
また、このシート体５０の大きさは、取付現場等の状況に応じて適宜異なるが、例えば１８０ｃｍ、１５０ｃｍ・・・等の横幅で、高さは７０〜２００ｃｍ位のものが用いられようが、前述したように取付現場等の状況に応じて適宜大きさのものを用いることができる。
【実施例３】
【００３１】
図７は、本発明に係る実施例３の仮囲い用のブラケットの正面図を示す。
この実施例３のブラケット１は、実施例１の変形例であって、図１に示す短管１１，２１を設けることなく、基体２の両端部に平板状のクランプ取付部材１７，２７を溶接などで固定するとともに、このクランプ取付部材１７，２７の両端部にクランプ１３，１３，２３，２３を溶接などで固定してある。
【００３２】
そして、前記クランプ１３，１３で縦支柱１２を締め付けて固定するとともに、クランプ２３，２３で傾斜支柱２２を締め付けて固定するものである。
その他の構成は実施例１と同様にしてあるので、同実施例１の説明を参照するとよい。この実施例３のブラケット１の場合も、図３〜図６のように組付けて、仮囲い６０として採用することができる。
【００３３】
なお、実施例２の図３で示した横桟４０は、仮囲い板６１の内側に横設した２本の横桟４０，４０を除くと、３本の横桟４０，４０，４０を設けている。しかし、後者の横桟４０は３本に限らず２本以上であればよく適宜設計変更できる。
【符号の説明】
【００３４】
１          仮囲い用のブラケット  
２          基体
１０        第１取付部材
１１        短管
１２        縦支柱
１３        クランプ
１４        垂直軸線
１５        ボルト
１７        クランプ取付部材
２０        第２取付部材
２１        短管
２２        傾斜支柱      
２３        クランプ
２４        仮想傾斜軸線
２５        ボルト
２７        クランプ取付部材
３１        固定クランプ部
３２        可動クランプ部
３４        ボルト
４０        横桟
４１       クランプ
５０        シート体
５１        連結部材
６０        仮囲い
６１        仮囲い板
θ          縦支柱の垂直軸線と仮想傾斜軸線との交差する角度
【図１】
2010261255.tif 000003
【図２】
2010261255.tif 000004
【図３】
2010261255.tif 000005
【図４】
2010261255.tif 000006
【図５】
2010261255.tif 000007
【図６】
2010261255.tif 000008
【図７】
2010261255.tif 000009